【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
第１感度又は前記第１感度よりも高い第２感度で放射線を検出可能な複数のセンサと、各センサの信号を読み出すための信号読出部と、制御部とを備える放射線撮像装置であって、
前記制御部は、
前記第２感度で前記複数のセンサのそれぞれから信号を読み出すように前記信号読出部を制御する第１制御と、
前記第１制御で得られた読出結果に基づいて、前記第１感度又は前記第２感度で前記複数のセンサから前記信号読出部により信号読出を行うタイミングを決定するために前記複数のセンサのうちの一部を選択する第２制御と、
を行う、
ことを特徴とする放射線撮像装置。
【請求項２】
前記制御部は、各センサを前記第１感度に設定して撮像する場合には、前記選択された前記一部のセンサから前記第１感度で読み出された信号に基づいて、前記複数のセンサから信号を読み出すように前記信号読出部を制御する第３制御を更に行う、
ことを特徴とする請求項１に記載の放射線撮像装置。
【請求項３】
被検者の撮像対象を特定するための情報が前記第１制御の前に予め設定されており、
前記制御部は、前記第２制御では、前記設定された情報と前記第１制御で得られた前記読出結果とに基づいて前記複数のセンサのうちの前記一部のセンサを選択する、
ことを特徴とする請求項１又は請求項２に記載の放射線撮像装置。
【請求項４】
前記制御部は、前記第３制御を、前記選択された前記一部のセンサからの信号が所定値に達した場合に、前記複数のセンサから信号が読み出されるように行う、
ことを特徴とする請求項２に記載の放射線撮像装置。
【請求項５】
前記制御部は、
前記第２制御の後かつ前記第３制御の前に、前記第１制御で得られた前記読出結果に基づいて、前記選択された前記一部のセンサからの信号が所定値に達する時間を算出し、
前記第２制御の後かつ前記算出された時間より前に、前記選択された前記一部のセンサからの信号が前記所定値に達したか否かを判断する、
ことを特徴とする請求項２に記載の放射線撮像装置。
【請求項６】
前記信号読出部は、前記第１制御では、前記複数のセンサから周期的に信号を読み出す、
ことを特徴とする請求項１乃至５のいずれか１項に記載の放射線撮像装置。
【請求項７】
各センサは、前記放射線を電荷に変換するための変換素子と、前記電荷に対応する信号を保持するための保持部とを有し、前記保持部はスイッチおよびキャパシタを含む、
ことを特徴とする請求項１乃至６のいずれか１項に記載の放射線撮像装置。
【請求項８】
互いに隣接するセンサに対応する前記キャパシタを接続する接続部をさらに備え、
前記制御部は、前記第１制御では、前記接続部により、前記互いに隣接するセンサに対応する前記保持部に保持された信号を加算する、
ことを特徴とする請求項７に記載の放射線撮像装置。
【請求項９】
前記制御部は、
前記第１制御を行う前に、放射線の照射を開始するための制御信号を出力し、
前記第３制御を行う際に、放射線の照射を終了するための制御信号を出力する、
ことを特徴とする請求項２に記載の放射線撮像装置。
【請求項１０】
前記制御部は、
前記第１制御を行う前に、放射線の照射を開始するための制御信号を出力し、
前記放射線の照射が開始されてから所定時間が経過した場合には、前記複数のセンサから信号が読み出されるように制御すると共に、放射線の照射を終了するための制御信号を出力する、
ことを特徴とする請求項１乃至８のいずれか１項に記載の放射線撮像装置。
【請求項１１】
前記制御部は、前記第１制御の前に、前記複数のセンサのそれぞれについて前記変換素子および前記保持部を初期化する
ことを特徴とする請求項７又は請求項８に記載の放射線撮像装置。
【請求項１２】
請求項１乃至１１のいずれか１項に記載の放射線撮像装置と、
放射線を発生するための放射線源と、
前記放射線源を制御するための放射線源制御部と、を具備する、
ことを特徴とする放射線検査装置。
【請求項１３】
第１感度又は前記第１感度よりも高い第２感度で放射線を検出可能な複数のセンサを備える放射線撮像装置の制御方法であって、
前記放射線撮像装置の制御方法は、
前記第２感度で前記複数のセンサのそれぞれから信号を読み出す第１工程と、
前記第１工程で得られた読出結果に基づいて、前記第１感度又は前記第２感度で前記複数のセンサから信号読出を行うタイミングを決定するために前記複数のセンサのうちの一部を選択する第２工程と、
を含む、
ことを特徴とする放射線撮像装置の制御方法。
【請求項１４】
各センサを前記第１感度に設定して撮像する場合には、前記選択された前記一部のセンサから前記第１感度で読み出された信号に基づいて、前記複数のセンサから信号を読み出す第３工程を更に行う、
ことを特徴とする請求項１３に記載の放射線撮像装置の制御方法。
【請求項１５】
請求項１３又は請求項１４に記載の制御方法の各工程をコンピュータに実行させるためのプログラム。
【請求項１６】
複数の行および複数の列を形成するように配列され、第１感度又は前記第１感度よりも高い第２感度で放射線を検出可能な複数のセンサと、
前記複数の行にそれぞれ対応し、対応の行の各センサに接続された複数の制御線と、
前記複数の列にそれぞれ対応し、対応の列の各センサに接続された複数の列信号線と、
前記制御線により制御された前記センサから前記列信号線を介して信号を非破壊読出で読み出す信号読出部と、
制御部と、
を備える放射線撮像装置であって、
前記制御部は、前記複数の制御線を用いて前記複数のセンサを制御し、
前記第２感度で前記複数のセンサのそれぞれから前記信号読出部により前記複数の列信号線を介して信号を読み出す第１制御と、
前記第１制御での読出結果に基づいて、前記第１感度または前記第２感度で前記複数のセンサからの前記信号読出部による信号読出を行うタイミングを決定するために、前記複数のセンサのうちの一部のセンサを対応の制御線を用いて制御し該一部のセンサから対応の列信号線を介して信号を読み出す第２制御と、
を行う
ことを特徴とする放射線撮像装置。
【請求項１７】
複数の行および複数の列を形成するように配列され、第１感度又は前記第１感度よりも高い第２感度で放射線を検出可能な複数のセンサと、
前記複数の行にそれぞれ対応し、対応の行の各センサに接続された複数の制御線と、
前記制御線を用いて対応のセンサを制御する垂直走査回路と、
前記複数の列にそれぞれ対応し、対応の列の各センサに接続された複数の列信号線と、
前記複数の列信号線にそれぞれ接続された複数のスイッチと、
前記スイッチを制御し、前記列信号線および前記スイッチを介して対応のセンサの信号を出力する水平走査回路と、
前記水平走査回路により出力された前記信号を読み出す信号読出部と、
を備える放射線撮像装置であって、
前記信号読出部は、前記垂直走査回路により前記複数の制御線を用いて制御された前記第２感度で前記複数のセンサのそれぞれから、前記水平走査回路により前記複数の列信号線および前記複数のスイッチを介して出力された信号を読み出し、
前記垂直走査回路は、前記第１感度または前記第２感度で前記複数のセンサからの前記読出部による信号読出を行うタイミングを決定するために、前記複数のセンサのうちの前記信号読出部による読出し結果に基づく一部のセンサを対応の制御線により制御し、
前記読出部は、前記一部のセンサから、前記水平走査回路により対応の列信号線およびスイッチを介して出力された信号を読み出す、
ことを特徴とする放射線撮像装置。
【手続補正２】
【補正対象書類名】明細書
【補正対象項目名】０００７
【補正方法】変更
【補正の内容】
【０００７】
本発明の一つの側面は放射線撮像装置にかかり、前記放射線撮像装置は、第１感度又は前記第１感度よりも高い第２感度で放射線を検出可能な複数のセンサと、各センサの信号を読み出すための信号読出部と、制御部とを備える放射線撮像装置であって、前記制御部は、前記第２感度で前記複数のセンサのそれぞれから信号を読み出すように前記信号読出部を制御する第１制御と、前記第１制御で得られた読出結果に基づいて、前記第１感度又は前記第２感度で前記複数のセンサから前記信号読出部により信号読出を行うタイミングを決定するために前記複数のセンサのうちの一部を選択する第２制御と、を行うことを特徴とする。